(57)【要約】【課題】本考案は合成樹脂育苗箱に関し、上げ底形式の薄型の育苗箱本体が中高に変形したり、そりや歪みがなく、水平度が保証され、稚苗の健全な育成と、田植え機への育苗箱のセット位置の適正化に適し、構造堅牢で軽量であり、移動、運搬を容易にする。【解決手段】側縁部２ａ,２ａ；２ｂ,２ｂ、底板３、足部４ａ,４ａ；４ｂ,４ｂにて形成した育苗箱本体１と、底板の表面に多数の排水孔５を有する凸条部６、１つまたは１つ以上の排水孔を有する凸部、凸条部間に設ける凹条部７、或いは凸部間に設ける凹部と、底板の裏面側には足部により囲まれる内域を横リブ８,８・・・と、縦リブ９,９・・・とで形成する複数個のリブ外郭体１０Ａ,１０Ｂ,１０Ｃ,１０Ｄ・・・；１０′Ａ,１０′Ｂ,１０′Ｃ,１０′Ｄ・・・とで構成した合成樹脂育苗箱において、左右線対称に交叉した多数の斜めリブ１１Ａ・・・；１１′Ａ・・・がリブ外郭体の内域に設けられた。【選択図】図１
0003124437.tif 000002
【実用新案登録請求の範囲】
【請求項１】
（ａ）前後左右の周囲に配置される側縁部、該側縁部に囲まれる下面に設けられる底板、および、該底板の下方に前後左右の周囲に設置される足部を有する略箱形に形成された上げ底形式の育苗箱本体と、（ｂ）前記底板の表面に適宜図柄に並設された多数の排水孔を有する凸条部、１つまたは１つ以上の排水孔を有する凸部、該凸条部の間に設けられる凹条部、或いは該凸部の間に設けられる凹部と、（ｃ）前記底板の裏面側における前記足部により囲まれた内域を前記育苗箱本体の長手方向に配置された長寸の足部に平行な複数本の横リブと、該横リブに交叉して前記育苗箱本体の短寸の足部に平行に設けられた複数本の縦リブと、により前記育苗箱本体の中央縦軸線を境に左右線対称であって、且つ中央横軸線を境に上下線対称になるように底面略矩形に形成された複数個のリブ外郭体とで構成され、そして、該リブ外郭体は、前記中央縦軸線に近接するのにつれて短寸の前記足部と前記縦リブとの間、または、前記縦リブ相互間の幅が狭くされた合成樹脂育苗箱において、
斜めリブが、前記中央縦軸線に対して左右線対称に斜めに平行に配置されると共に交叉して配置されて前記各リブ外郭体の内域に多数設けられていることを特徴とする合成樹脂育苗箱。
【請求項２】
前記斜めリブが、前記縦リブ、および前記横リブよりも低くして底面所望間隔に配置さた第１の斜めリブと、該第１の斜めリブよりも高さが低く該第１の斜めリブの間に配置される第２の斜めリブと、の２種類の組み合わせで構成されていることを特徴とする請求項１に記載の合成樹脂育苗箱。
【請求項３】
前記横リブが、前記育苗箱本体の長手方向の対向する足部に平行に２本又は２本以上平行に配置されるとともに、前記中央横軸線に略一致して少なくとも１本配列されていることを特徴とする請求項１または２に記載の合成樹脂育苗箱。
【考案の詳細な説明】
【技術分野】
【０００１】
本考案は合成樹脂育苗箱に関し、例えば田植え機に使用する苗マットを育てるために使用されるもので、軽量化を意図して収容する床土を少量にするために上げ底形式に薄型に形成された育苗箱本体が中高に変形したり、そりや歪みがなく、水平度が保証されることにより稚苗の健全な育成と、育苗後における田植え機に対する育苗箱のセット位置の適正化に適するとともに、構造堅牢であり、軽量にして移動、運搬を容易にするものである。
【背景技術】
【０００２】
従来、田植え機に使用する苗マットを育てるための合成樹脂育苗箱には、前後左右の周囲に配置される側縁部、該側縁部に囲まれる下面に設けられる底板、および、該底板の下方に前後左右の周囲に設置される足部を有する略箱形に形成された上げ底形式の育苗箱本体と、前記底板の表面に適宜図柄に並設された多数の排水孔を有する凸条部、１つまたは１つ以上の排水孔を有する凸部、該凸条部の間に設けられる凹条部、或いは該凸部の間に設けられる凹部と、前記底板の裏面側における前記足部により囲まれた内域を前記育苗箱本体の長手方向に配置された長寸の足部に平行な複数本の横リブと、該横リブに交叉して前記育苗箱本体の短寸の足部に平行に設けられた複数本の縦リブと、により前記育苗箱本体の中央縦軸線を境に左右線対称であって、且つ中央横軸線を境に上下線対称になるように底面略矩形に形成された複数個のリブ外郭体で構成され、そして、該リブ外郭体は、前記中央縦軸線に近接するのにつれて短寸の前記足部と前記縦リブとの間、または、前記縦リブ相互間の幅が狭くされたものがあった。また、前記合成樹脂としては、例えば熱可塑性樹脂としてのポリプロピレン樹脂、ポリカーボネート樹脂、塩化ビニール樹脂等が用いられる。また、前記育苗箱本体の側縁部から底板までの深さは２ｃｍ程度、また足部の下縁部から底板までの足部の高さも２ｃｍ程度である。
【０００３】
そして、この合成樹脂育苗箱は、育苗箱本体が、前後左右の周囲に配置される側縁部と、該側縁部に囲まれる下面に設けられる底板と、該底板の下方に前後左右の周囲に設置される足部とにより略箱形をなす上げ底形式に形成されているので、育苗箱本体内に収容される床土が少量になり、軽量化がはかれ、育苗箱本体の移動、運搬が容易で労力を軽減して作業の効率化をはかることができる。また、育苗箱本体を上げ底にすることにより、底板までの深さを浅くした分、足部の高さを高くして全体的な高さは変わりはないので、既設の播種機を変更することなくそのまま使用して自動的に播種が行える。また、ハウス等に何枚もの育苗箱を重ね積みする場合に、育苗箱の全体高さが高くならずに済む。しかも、足部を高くして夜間における外気や地面からの温度変化の影響が受けにくくなり、健苗を育成するようになしたものがあった（例えば特許文献１参照）。
【０００４】
また、合成樹脂育苗箱の他の従来例として、育苗箱本体の周囲の側壁に排水孔が設けられた苗を育苗する育苗箱において、底板に排水孔に向かって下っていくように傾斜部を設けた構成のものがあった。
【０００５】
そして、この合成樹脂育苗箱は、育苗を行う際に、育苗箱内に潅水されると、培土等の床材（床土）に吸水が行われて該床材から種子に水分の吸水が行われて苗が育成することになるが、育苗箱本体に潅水された水のうち床材に保持されず育苗箱本体の底部に降下した過剰な水は、育苗箱本体の短手方向における中央部を高位にして両側端に向かって緩やかに下がった底板の傾斜部を伝って側壁の排水孔に向かって流れ、排水孔から排水されるものがあった（例えば特許文献２参照）。
【特許文献１】実用新案登録第３０６４４２１号公報
【特許文献２】特開平１０−２５７８２６号公報
【考案の開示】
【考案が解決しようとする課題】
【０００６】
ところで、特許文献１に記載の上記従来の合成樹脂育苗箱は、前後左右の周囲に配置される側縁部、該側縁部に囲まれる下面に設けられる底板、該底板の下方に前後左右の周囲に設置される足部により略箱形の上げ底形式に形成された育苗箱本体は、育苗箱本体の裏面側に足部により囲まれる内域を育苗箱本体の長手方向に配置された長寸の足部に平行な複数本の横リブと、該横リブに交叉して育苗箱本体の短寸の足部に平行に設けられた複数本の縦リブとにより育苗箱本体の中央縦軸線を境に左右線対称であり、且つ中央横軸線を境に上下線対称になるように底面略矩形の複数個の凹所部に区分される。そして、該凹所部は、前記中央縦軸線に近接するのにつれて短寸の前記足部と前記縦リブとの間、または、前記縦リブ相互間の幅が狭く形成されたリブ構造を設けることにより構造的な補強をはかっているが、このリブ構造による補強では不充分であった。このため、合成樹脂の物理特性により、育苗箱本体は熱成形後に、縮化したり、または、上げ底形式に薄型に育苗箱本体が形成されるので、育苗箱本体は中高に変形したり、そりや歪みを生ずるおそれがあった。従って、育苗箱本体の水平度が保証されないため、育苗箱本体内に収容される床土や床土内に浸透する潅水の保水が均一にならずにバラツキを生ずる結果、稚苗の育成が不健全になり、根が徒長したり、水分過多により根腐れを生ずる原因にもなっていた。このような不健全の苗は水田に定植後にも風雨により転倒し、順調には生育しなかった。しかも、育苗箱本体の水平度が保てないので、育苗後における田植え機に対する育苗箱のセット位置の適正化に適さないものであった。
【０００７】
また、特許文献２に記載の上記従来の合成樹脂育苗箱は、育苗箱の裏面側に撓み防止用のリブが設けられてはいるが、上記特許文献１に記載の考案と同様、リブによる補強が不充分である。そして、特許文献２に記載の上記従来の合成樹脂育苗箱では、特許文献１に記載のものとは異なり側壁に排水孔が設けられ、底板は育苗箱の短手方向における中央部を高位にして両側端に向かって緩やかに下がった傾斜部となした中高構造に積極的に形成されるので、育苗において、育苗箱本体に潅水されると、育苗箱に潅水された水は、育苗箱本体の短手方向に落ちる。このように、特許文献２に記載の従来の合成樹脂育苗箱は、育苗箱の高位の中央部から緩やかに下がった底板の傾斜部を伝って両側端へと流れ落ちるものなので、育苗箱本体内に収容される床土や床土内に浸透する潅水の保水が均一にならずにバラツキを生ずる結果、育苗箱本体の短手方向における高位の中央部に育成されている稚苗よりも両側端側に育成されている稚苗の根が徒長したり、水分過多により根腐れを生ずる原因になり、育苗箱全体として均一に健全な育苗を行うことができなかった。しかも、育苗箱自体が中高構造に形成されて水平度が保てないので、育苗後における田植え機に対する育苗箱のセット位置の適正化に適さないものであった。
【０００８】
本考案はかかる従来の欠点を解決し、育苗箱本体の裏面側のリブ構造としての補強が充分になり、合成樹脂の物理的特性による縮化や上げ底形式における薄型の育苗箱本体が中高に変形したり、そりや歪みを生ずるのを確実に防止して水平度を保証し、育苗箱本体内に収容される床土や床土内に浸透される潅水の保水力が片よりなく均一化され、根が均一に健全に育成し、しかも、水分過多による根腐れがなく、健苗の育成をはかることができるとともに、育苗後における田植え機に対する育苗箱のセット位置を適正にセットでき、もって田植え時の作業効率の向上をはかれる合成樹脂育苗箱を提供しようとすることを目的とする。
【課題を解決するための手段】
【０００９】
本考案の請求項１に記載の考案は、（ａ）前後左右の周囲に配置される側縁部、該側縁部に囲まれる下面に設けられる底板、および、該底板の下方に前後左右の周囲に設置される足部を有する略箱形に形成された上げ底形式の育苗箱本体と、（ｂ）前記底板の表面に適宜図柄に並設された多数の排水孔を有する凸条部、１つまたは１つ以上の排水孔を有する凸部、該凸条部の間に設けられる凹条部、或いは該凸部の間に設けられる凹部と、（ｃ）前記底板の裏面側における前記足部により囲まれた内域を前記育苗箱本体の長手方向に配置された長寸の足部に平行な複数本の横リブと、該横リブに交叉して前記育苗箱本体の短寸の足部に平行に設けられた複数本の縦リブと、により前記育苗箱本体の中央縦軸線を境に左右線対称であって、且つ中央横軸線を境に上下線対称になるように底面略矩形に形成された複数個のリブ外郭体とで構成され、そして、該リブ外郭体は、前記中央縦軸線に近接するのにつれて短寸の前記足部と前記縦リブとの間、または、前記縦リブ相互間の幅が狭くされた合成樹脂育苗箱において、
斜めリブが、前記中央縦軸線に対して左右線対称に斜めに平行に配置されると共に交叉して配置されて前記各リブ外郭体の内域に多数設けられていることを特徴とする。
【００１０】
また、本考案の請求項２に記載の考案は、請求項１において、前記斜めリブが、前記縦リブ、および前記横リブよりも低くして底面所望間隔に配置された第１の斜めリブと、該第１の斜めリブよりも高さが低く該第１の斜めリブの間に配置される第２の斜めリブと、の２種類の組み合わせで構成されていることを特徴とする。
【００１１】
また、本考案の請求項３に記載の考案は、請求項１または２において、前記横リブが、前記育苗箱本体の長手方向の対向する足部に平行に、２本又は２本以上平行に配置されるとともに、前記中央横軸線に略一致して少なくとも１本配列されていることを特徴とする。
【考案の効果】
【００１２】
本考案の請求項１に記載の考案によれば、前後左右の周囲に配置される側縁部、該側縁部に囲まれる下面に設けられる底板、および、該底板の下方に前後左右の周囲に設置される足部を有する略箱形に形成された上げ底形式の育苗箱本体と、前記底板の表面に適宜図柄に並設された多数の排水孔を有する凸条部、１つまたは１つ以上の排水孔を有する凸部、該凸条部の間に設けられる凹条部、或いは該凸部の間に設けられる凹部と、前記底板の裏面側における前記足部により囲まれた内域を前記育苗箱本体の長手方向に配置された長寸の足部に平行な複数本の横リブと、該横リブに交叉して前記育苗箱本体の短寸の足部に平行に設けられた複数本の縦リブと、により前記育苗箱本体の中央縦軸線を境に左右線対称であって、且つ中央横軸線を境に上下線対称になるように底面略矩形に形成された複数個のリブ外郭体とで構成され、そして、該リブ外郭体は、前記中央縦軸線に近接するのにつれて短寸の前記足部と前記縦リブとの間、または、前記縦リブ相互間の幅が狭くされた合成樹脂育苗箱において、斜めリブが、前記中央縦軸線に対して左右線対称に斜めに平行に配置されるとに共に交叉して配置されて前記各リブ外郭体の内域に多数設けられていることを特徴とするので、育苗箱本体の裏面側に複数本の横リブと、該横リブに交叉する縦リブとにより底面略矩形に形成された複数個のリブ外郭体と、該リブ外郭体の内域に傾斜方向が中央縦軸線に対して線対称に斜めに平行に配置されて交叉した多数の斜めリブとを設けることにより、リブ外郭体と斜めリブとが協同して前後、左右、上下からの何れの方向からの外力に対してリブ構造としての補強が充分になる。このため、合成樹脂の物理的特性による縮化や上げ底形式における薄型の育苗箱本体が中高に変形したり、そりや歪みを生ずるのを確実に防止することができる。そして、育苗箱本体の水平度が保証されるので、育苗箱本体内に収容される床土や床土内に浸透される潅水の保水力が片よりなく均一化される。また、育苗箱本体の裏面には、縦リブと、横リブとよりなるリブ外郭体の内域に多数の凹所部が形成されて前後左右に設けられる隣接する凹所部が縦リブと横リブとにより相互に独立に隔てられるのと、該リブ外郭体の内域には傾斜方向が中央縦軸線に対して左右線対称に斜めに平行に配置されて交叉した多数の斜めリブとを設けることにより前記凹所部はさらに細分化された小凹所部が形成されるのとから、凹所部内、すなわち、全小凹所部内には空気層を形成して保温性が発揮されるため、稚苗の根が均一に健全に育成される。しかも、水分過多による根腐れがなく、健苗の育成をはかることができる。さらには、育苗箱本体の水平度が保証されるので、自動播種機に対する移送、運搬も確実に行え、また、育苗後における田植え機に対する育苗箱のセット位置を適正にセットすることができ、もって田植え機のクランク爪による把持が確実になり、田植え時の作業効率の向上をはかることができる。
【００１３】
また、本考案の請求項２に記載の考案によれば、前記斜めリブが、前記縦リブ、および前記横リブよりも低くして底面所望間隔に配置された第１の斜めリブと、該第１の斜めリブよりも高さが低く該第１の斜めリブの間に配置される第２の斜めリブと、の２種類の組み合わせで構成されていることを特徴とするので、上げ底形式の育苗箱本体の裏面に設けられる縦リブと横リブとにより形成されるリブ外郭体と、該リブ外郭体の内域に配置される斜めリブとが協同して前後、左右、上下からの何れの方向からの外力に対して育苗箱本体が軽量のわりにリブ構造の補強が充分になる。
【００１４】
このため、合成樹脂の物理的特性による縮化や上げ底形式における薄型の育苗箱本体が中高に変形したり、そりや歪みを生ずるのを確実に防止することができる。そして、育苗箱本体の水平度が保証されるので、育苗箱本体内に収容される床土や床土内に浸透される潅水の保水力が片よりなく均一化される。また、育苗箱本体の裏面には、縦リブと、横リブとよりなるリブ外郭体の内域に多数の凹所部が形成されて前後左右に設けられる隣接する凹所部が縦リブと横リブとにより相互に独立に隔てられるのと、さらに該リブ外郭体の内域には傾斜方向が中央縦軸線に対して左右線対称に斜めに平行に配置されて交叉した多数の斜めリブが、前記縦リブ、および前記横リブよりも低く、底面所望間隔に配置される中位の高さの第１の斜めリブと、該第１の斜めリブの間に配置される最も低い高さの第２の斜めリブとの２種類を組み合わせて使用されることにより前記凹所部内はさらに細分化されて連通された小凹所部が形成されるのとから、凹所部内には空気層を形成するとともに全小凹所部内は連通可能になつて凹所部内における空気の還流が良好になり、保温性が効率良く発揮されるため、稚苗の根は均一に健全に育成される。しかも、水分過多による根腐れがなく、健苗の育成をはかることができる。さらには、中央縦軸線に左右線対称に斜めリブが交叉して設けられることにより育苗箱本体の水平度が保証されるので、自動播種機に対する移送、運搬も確実に行える。また、育苗後における田植え機に対する育苗箱のセット位置を適正にセットすることができるため、田植え機のクランク爪による育苗の把持が確実になり、田植え時の作業効率の向上をはかることができる。
【００１５】
また、本考案の請求項３に記載の考案によれば、前記横リブが、前記育苗箱本体の長手方向の対向する足部に平行に２本又は２本以上が平行に配置されるとともに、前記中央横軸線に略一致して少なくとも１本配列されていることを特徴とするので、コンベアのローラ、ベルト等に対する接触面積が増大して、スリップを生ずることなく、育苗箱本体の移送、運搬が迅速かつ確実に行える。従って、自動播種機により自動播種を行う場合の育苗箱本体を移送、運搬したり、またはハウス内において育苗後に育苗箱本体を移送、運搬したりするのに便利である。
【考案を実施するための最良の形態】
【００１６】
以下、図面に従って本考案を実施するための最良の形態ににつき、詳細に説明する。
【００１７】
図１は本考案の合成樹脂育苗箱の実施形態１を示す平面図、図２は同じく合成樹脂育苗箱の斜視図、図３は同じく合成樹脂育苗箱を裏面側から見た斜視図、図４は同じく合成樹脂育苗箱の裏面図、図５は同じく合成樹脂育苗箱の説明的な裏面図、図６は同じく合成樹脂育苗箱の正面図、図７は同じく合成樹脂育苗箱の側面図、図８は同じく図４のＡ−Ａ断面図、図９は同じく図４のＢ−Ｂ断面図、図１０は本実施形態１の合成樹脂育苗箱と、深さが深い従来の合成樹脂育苗箱との経時の保水量とを観測したグラフ、図１１は同じく本実施形態１の合成樹脂育苗箱と従来の合成樹脂育苗箱との外気温との経時の地温変化を温度計により測定したグラフ、図１２は本考案の合成樹脂育苗箱の実施形態２を示す部分切欠き平面図、図１３は同じく拡大断面図である。
【００１８】
本実施形態１の合成樹脂育苗箱は、図１において、前後左右の周囲に配置される側縁部２ａ,２ａ；２ｂ,２ｂ、該側縁部２ａ,２ａ；２ｂ,２ｂに囲まれる下面に設けられる底板３、および、該底板３の下方に前後左右の周囲に設置される足部４ａ,４ａ；４ｂ,４ｂを有する略箱形に形成された上げ底形式の育苗箱本体１と、前記底板３の表面に適宜図柄に並設された多数の排水孔５を有する凸条部６、該凸条部６の間に設けられる凹条部７と、前記底板３の裏面側における前記足部４ａ,４ａ；４ｂ,４ｂにより囲まれた内域を前記育苗箱本体１の長手方向Ｘに配置された長寸の足部４ａ,４ａに平行な複数本の横リブ８,８・・・と、該横リブ８,８・・・に交叉して前記育苗箱本体１の短寸の足部４ｂ,４ｂに平行に設けられた複数本の縦リブ９,９・・・と、により前記育苗箱本体１の中央縦軸線Ｏを境に左右線対称であって、且つ中央横軸線Ｐを境に上下線対称になるように底面略矩形に形成された複数個のリブ外郭体１０Ａ,１０Ｂ,１０Ｃ,１０Ｄ・・・；１０′Ａ,１０′Ｂ,１０′Ｃ,１０′Ｄ・・・と、で構成され、そして、該リブ外郭体１０Ａ,１０Ｂ,１０Ｃ,１０Ｄ・・・；１０′Ａ,１０′Ｂ,１０′Ｃ,１０′Ｄ・・・は、前記中央縦軸線Ｏに近接するのにつれて短寸の前記足部４ａ,４ａ；４ｂ,４ｂと前記縦リブ９,９・・・との間、または、前記縦リブ９,９・・・相互間の幅Ｗ１,Ｗ１；Ｗ２,Ｗ２；Ｗ３,Ｗ３；Ｗ４,Ｗ４・・・が狭くされた合成樹脂育苗箱である。
【００１９】
なお、図１乃至図１１に示す実施形態１の合成樹脂育苗箱では、育苗箱本体１の排水孔５を有する凸条部６を底板３の表面に適宜図柄、図示では直線状に並設しているが、これに限ることなく、図には示さないがこの凸条部６の代わりに底板３の表面に１つ又は１つ以上の排水孔５を有する凸部を設けたものでもよい。また、同様に図１乃至図１１に示す本実施形態１の合成樹脂育苗箱では、育苗箱本体１の凸条部６の間に凹条部７を底板３の表面に適宜図柄、例えば直線状に並設しているが、これに限ることなくこの凹条部７の代わりに図には示さないが多数の凹部を並設したものでもよい。
【００２０】
また、前記合成樹脂としては、例えば熱可塑性樹脂としてのポリプロピレン樹脂、ポリカーボネート樹脂、塩化ビニール樹脂等が用いられる点は特許文献１に示す従来の育苗箱とほぼ同様である。
【００２１】
しかしながら、本実施形態１の合成樹脂育苗箱では、斜めリブ１１Ａ・・・；１１′Ａ・・・が、前記中央縦軸線Ｏに対して左右線対称に斜めに平行に配置されるとともに交叉して配置されて前記各リブ外郭体１０Ａ,１０Ｂ,１０Ｃ,１０Ｄ・・・；１０′Ａ,１０′Ｂ,１０′Ｃ,１０′Ｄ・・・の内域に多数設けられていることを特徴とする。
【００２２】
また、前記育苗箱本体１は、図８、および図９に示すように周囲の側縁部２ａ,２ａ；２ｂ,２ｂの上端から底板３までの深さＷは、約２ｃｍであり、しかも、足部４ａ,４ａ；４ｂ,４ｂの下端から前記底板３までの高さｈ１は、１．８〜２ｃｍ程度である。
【００２３】
また、前記横リブ８が、前記育苗箱本体１の長手方向Ｘの対向する足部４ａ,４ａに平行に２本又は２本以上が平行に配置されるとともに、前記中央横軸線Ｐに略一致して少なくとも１本が配列される（図３、図４、図５参照）。
【００２４】
このように、育苗箱本体１の長手方向Ｘに対向する足部４ａ,４ａに平行に２本又は２本以上が平行に配置されるとともに、前記中央横軸線Ｐに略一致して少なくとも１本を配列したのは、コンベアのローラ、ベルト等（図示しない）に対する横リブ８,８,８・・・の接触面積が増大して、スリップを生ずることなく、育苗箱本体１の移送、運搬を迅速かつ確実に行うためである。従って、自動播種機により自動播種を行う場合の育苗箱本体１を移送、運搬したり、またはハウス内において育苗後に育苗箱本体１を移送、運搬したりするのに便利になる。
【００２５】
前記縦リブ９、および前記横リブ８は、同寸で高さｈ２が高く形成され、前記斜めリブ１１Ａ・・・；１１′Ａ・・・が、前記縦リブ９および前記横リブ８よりも低くして底面所望間隔に配置された中位の高さｈ３の第１の斜めリブＲ１と、該第１の斜めリブＲ１,Ｒ１・・・の間に配置される最も低い高さｈ４の第２の斜めリブＲ２と、の２種類の組み合わせで構成されている。
【００２６】
このように、リブ外郭体１０Ａ,１０Ｂ,１０Ｃ,１０Ｄ・・・；１０′Ａ,１０′Ｂ,１０′Ｃ,１０′Ｄ・・・・・・を形成する前記縦リブ９、および前記横リブ８は、同寸で高さｈ２が高く形成され、前記斜めリブ１１Ａ・・・；１１′Ａ・・・は、前記縦リブ９、および前記横リブ８よりも低く、底面所望間隔に配置される中位の高さｈ３の第１の斜めリブＲ１と、該第１の斜めリブＲ１,Ｒ１・・・の間に配置される最も低い高さｈ４の第２の斜めリブＲ２との２種類の組み合わせで構成されているのは、上げ底形式の育苗箱本体１の裏面に設けられる縦リブ９と、横リブ８とにより形成されるリブ外郭体１０Ａ,１０Ｂ,１０Ｃ,１０Ｄ・・・；１０′Ａ,１０′Ｂ,１０′Ｃ,１０′Ｄ・・・と、該リブ外郭体１０Ａ,１０Ｂ,１０Ｃ,１０Ｄ・・・；１０′Ａ,１０′Ｂ,１０′Ｃ,１０′Ｄ・・・の内域に配置される斜めリブ１１Ａ・・・；１１′Ａ・・・とが協同して前後、左右、上下からの何れの方向からの外力に対して育苗箱本体１が軽量のわりにリブ構造の補強を充分にして構造堅牢にするためである。
【００２７】
この多数の斜めリブ１１Ａ・・・；１１′Ａ・・・の設置角度θ、間隔、使用本数は図示するものに限らず、自由に設定される。
【００２８】
１２は育苗箱本体１の裏面に、縦リブ９と、横リブ８とよりなるリブ外郭体１０Ａ,１０Ｂ,１０Ｃ,１０Ｄ・・・；１０′Ａ,１０′Ｂ,１０′Ｃ,１０′Ｄ・・・の内域に形成された多数の凹所部である。また、１３は前記リブ外郭体１０Ａ,１０Ｂ,１０Ｃ,１０Ｄ・・・；１０′Ａ,１０′Ｂ,１０′Ｃ,１０′Ｄ・・・の内域において、前記リブ外郭体１０Ａ,１０Ｂ,１０Ｃ,１０Ｄ・・・；１０′Ａ,１０′Ｂ,１０′Ｃ,１０′Ｄ・・・の内域に傾斜方向が中央縦軸線Ｏに対して左右線対称に斜めに平行に配置されて交叉した多数の斜めリブ１１Ａ・・・；１１′Ａ・・・とを設けることにより前記凹所部１２をさらに細分化して形成される多数の小凹所部である。
【００２９】
このように、リブ外郭体１０Ａ,１０Ｂ,１０Ｃ,１０Ｄ・・・；１０′Ａ,１０′Ｂ,１０′Ｃ,１０′Ｄ・・・の内域の凹所部１２を、リブ外郭体１０Ａ,１０Ｂ,１０Ｃ,１０Ｄ・・・；１０′Ａ,１０′Ｂ,１０′Ｃ,１０′Ｄ・・・の内域に傾斜方向が中央縦軸線Ｏに対して左右に線対称に斜めに平行に配置されて交叉した多数の斜めリブ１１Ａ・・・；１１′Ａ・・・とを設けることにより細分化された全小凹所部１３を形成するようにしたのは、凹所部１２内に全小凹所部１３を設けたことにより細分化された空気層を形成して保温性を高めて稚苗の根を均一に健全に育成するためである。
【００３０】
１４は育苗箱本体１の周囲の側縁部２ａ,２ａ；２ｂ,２ｂの内周と前記足部４ａ,４ａ；４ｂ,４ｂの外周との間に側縁部２ａ,２ａ；２ｂ,２ｂの内周面と前記足部４ａ,４ａ；４ｂ,４ｂの外周面とに交叉して架設された複数個の高さ位置決めリブであり、この高さ位置決めリブ１４は、その上端から下端部１４ａまでの長さが足部４ａ,４ａ；４ｂ,４ｂの下端部１４ａよりも短く形成されたことにより、空の育苗箱本体１・・・を重ね積みした場合に、上段の育苗箱本体１の高さ位置決めリブ１４の下端部１４ａが、下段の育苗箱本体１の側縁部２ａ,２ａ；２ｂ,２ｂの内周側の上面に載置されることにより上段の育苗箱本体１の周囲の側縁部２ａ,２ａ；２ｂ,２ｂの下端と、下段の育苗箱本体１の周囲の側縁部２ａ,２ａ；２ｂ,２ｂの上面との間にわずかな間隙が空くようにしてこの隙間に指先を挿入することによって上段の育苗箱本体１の持ち運びを容易かつ確実にするためのものである。
【００３１】
本考案の実施形態１は以上の構成からなり、育苗箱本体１の裏面には、図４、図５に示すように足部４ａ,４ａ；４ｂ,４ｂにより囲まれる内域を前記育苗箱本体１の長手方向Ｘに配置された長寸の足部４ａ,４ａに平行な複数本の横リブ８,８・・・と、該横リブ８,８・・・に交叉して前記育苗箱本体1の短寸の足部４ｂ,４ｂに平行に設けられた複数本の縦リブ９,９・・・とにより前記育苗箱本体１の中央縦軸線Ｏを境に左右線対称であり、且つ中央横軸線Ｐを境に上下線対称に底面略矩形に形成された複数個のリブ外郭体１０Ａ,１０Ｂ,１０Ｃ,１０Ｄ・・・；１０′Ａ,１０′Ｂ,１０′Ｃ,１０′Ｄ・・・が形成され、このリブ外郭体１０Ａ,１０Ｂ,１０Ｃ,１０Ｄ・・・；１０′Ａ,１０′Ｂ,１０′Ｃ,１０′Ｄ・・・の内域には、傾斜方向が前記中央縦軸線Ｏに対して左右に線対称に斜めに平行に配置されて交叉した多数の斜めリブ１１Ａ・・・；１１′Ａ・・・が設けられているので、リブ外郭体１０Ａ,１０Ｂ,１０Ｃ,１０Ｄ・・・；１０′Ａ,１０′Ｂ,１０′Ｃ,１０′Ｄ・・・と斜めリブ１１Ａ・・・；１１′Ａ・・・とが協同して剛性並びに引張力を発揮し、前後、左右、上下からの何れの方向からの外力に対してリブ構造としての補強が充分に発揮され、構造堅牢になる。
【００３２】
従って、例えば熱可塑性樹脂としてのポリプロピレン樹脂、ポリカーボネート樹脂、塩化ビニール樹脂等の合成樹脂の物理的特性により、熱成形後に縮化されたり、または、上げ底形式における薄型の育苗箱本体１が中高に変形したり、そりや歪みを生ずるのを確実に防止することができる。そして、育苗箱本体１の水平度が保証されるので、育苗箱本体１内に収容される床土や床土内に浸透される潅水の保水力が片よりなく均一化されるため、水分過多による根腐れがなく、発芽した稚苗は根張りが八方広がりに育成され、稚苗の水田への定植と、その後の育成が順調な健苗の育成をはかることができる。
【００３３】
図１０に示すグラフは、本実施形態１の合成樹脂育苗箱と、図には示さない周囲の側縁部の上縁から底板までの深さが３ｃｍ程度と深い比較例としての従来の合成樹脂育苗箱との経時の保水量を観測し、まとめたものである。観測には、４月後半の晴れ日が２日、午前中曇り日１日の合計３日を選んで、最初の晴れ日の朝に充分に潅水を行った後に、経時に伴う箱当たりの水重量の減少を観察したものである。そして、育苗箱で育成した苗がよれ始める時に、保水量が０になったものと判断した。なお、床土（培土）には無肥の赤土を用い、また、潅水方法、潅水回数、潅水時期は本実施形態１の育苗箱も比較例の合成樹脂育苗箱も同様方法によった。
【００３４】
そして、図１０に表されたグラフから、周囲の側縁部２ａ,２ａ；２ｂ,２ｂの上縁から底板３までの深さが３ｃｍ程度と深く、床土の収容量が多い比較例としての従来の合成樹脂育苗箱と、この合成樹脂育苗箱よりも床土の収容量が少ない本実施形態１の合成樹脂育苗箱とでは、育成した苗がよれ始めて保水量が０になる時点がほぼ同時期になった。従って、本実施形態１の育苗箱では、比較例の合成樹脂育苗箱よりも床土の収容量が少ないのにも拘わらず保水量が充分であり、育苗に適することがわかった。
【００３５】
また、育苗箱本体１の裏面には、図４、および図５に示すように、縦リブ９と、横リブ８とよりなるリブ外郭体１０Ａ,１０Ｂ,１０Ｃ,１０Ｄ・・・；１０′Ａ,１０′Ｂ,１０′Ｃ,１０′Ｄ・・・の内域に多数の凹所部１２が形成されるので、前後左右に設けられる隣接する凹所部１２が縦リブ９と横リブ８とにより相互に独立に隔てられるのと、該リブ外郭体１０Ａ,１０Ｂ,１０Ｃ,１０Ｄ・・・；１０′Ａ,１０′Ｂ,１０′Ｃ,１０′Ｄ・・・の内域には傾斜方向が中央縦軸線Ｏに対して左右に線対称に斜めに平行に配置されて交叉した多数の斜めリブ１１Ａ・・・；１１′Ａ・・・が、前記縦リブ９、および前記横リブ８よりも低く、底面所望間隔に配置される中位の高さｈ３の第１の斜めリブＲ１と、該第１の斜めリブＲ１の間に適宜に配置される最も低い高さｈ４の第２の斜めリブＲ２との２種類を組み合わせて使用されることにより前記凹所部１２はさらに細分化されて連通された小凹所部１３が形成されるのとから、凹所部１２内には空気層を形成するとともに全小凹所部１３内は連通可能になつて凹所部１２内における空気の還流が良好になり、保温性を効率良く発揮されるため、稚苗の根は均一に健全に育成される。
【００３６】
図１１に示すグラフは、本実施形態１の合成樹脂育苗箱と、周囲の側縁部２ａ,２ａ；２ｂ,２ｂの上縁から底板３までの深さＷが３ｃｍ程度と深い比較例としての従来の合成樹脂育苗箱と、外気温との経時の地温変化を温度計により測定し、比較したものである。
【００３７】
図１１に表されたグラフから、周囲の側縁部の上縁から底板までの深さが３ｃｍ程度と深く、床土の収容量が多い比較例としての従来の育苗箱と、この育苗箱よりも床土の収容量が少ないが、育苗箱本体１の裏面に縦リブ９と、横リブ８とよりなるリブ外郭体１０Ａ,１０Ｂ,１０Ｃ,１０Ｄ・・・；１０′Ａ,１０′Ｂ,１０′Ｃ,１０′Ｄ・・・の内域に多数の凹所部１２・・・が形成され、しかも、リブ外郭体１０Ａ,１０Ｂ,１０Ｃ,１０Ｄ・・・；１０′Ａ,１０′Ｂ,１０′Ｃ,１０′Ｄ・・・の内域に傾斜方向が中央縦軸線Ｏに対して左右に線対称に斜めに平行に配置され、かつ交叉した多数の斜めリブ１１Ａ・・・,１１′Ａ・・・が、前記縦リブ９、および前記横リブ８よりも低く、底面所望間隔に配置される中位の高さｈ３の第１の斜めリブＲ１と、該第１の斜めリブＲ１の間に配置される最も低い高さｈ４の第２の斜めリブＲ３との２種類を組み合わせて使用されることにより前記凹所部１２はさらに細分化されて連通された多数の小凹所部１３が形成されたことにより、凹所部１２内には空気層を形成されるとともに全小凹所部１３内は連通可能になつて凹所部１２内における空気の還流が良好になる本実施形態１の育苗箱とでは、本実施形態１の育苗箱の保温性が床土の収容量が少ないのにも拘わらずに良好であり、育苗に適することがわかった。
【００３８】
さらには、前述のように、育苗箱本体１の裏面には、足部４ａ,４ａ；４ｂ,４ｂにより囲まれる内域を前記育苗箱本体１の長手方向Ｘに配置された長寸の足部４ａ,４ａに平行な複数本の横リブ８,８・・・と、該横リブ８,８・・・に交叉して前記育苗箱本体1の短寸の足部４ｂ,４ｂに平行に設けられた複数本の縦リブ９,９・・・とにより前記育苗箱本体１の中央縦軸線Ｏを境に左右線対称であり、且つ中央横軸線Ｐを境に上下線対称に底面略矩形に形成された複数個のリブ外郭体１０Ａ,１０Ｂ,１０Ｃ,１０Ｄ・・・；１０′Ａ,１０′Ｂ,１０′Ｃ,１０′Ｄ・・・が形成され、このリブ外郭体１０Ａ,１０Ｂ,１０Ｃ,１０Ｄ・・・；１０′Ａ,１０′Ｂ,１０′Ｃ,１０′Ｄ・・・の内域には、傾斜方向が前記中央縦軸線Ｏに対して左右線対称に斜めに平行に配置されて交叉した多数の斜めリブ１１Ａ・・・；１１′Ａ・・・が設けられているので、合成樹脂の物理的特性による縮化や上げ底形式における薄型の育苗箱本体１が中高に変形したり、そりや歪みを生ずるのを確実に防止できる。また、育苗箱本体１の水平度が保証されるので、自動播種機に対する移送、運搬も確実に行える。
【００３９】
この際、横リブ８は、育苗箱本体１の長手方向Ｘの対向する足部２ａと、この足部２ａに平行に２本又は２本以上が平行に配置されるとともに、中央横軸線Ｐに略一致して少なくとも１本が配列されているので、コンベアのローラ、ベルト等に対する接触面積が増大して、スリップを生ずることなく、育苗箱本体１の移送、運搬が迅速かつ確実に行える。従って、自動播種機により自動播種を行う場合に、育苗箱本体１を移送、運搬したり、またはハウス内において育苗後に育苗箱本体１を移送、運搬したりするのに便利である。
【００４０】
さらには、前述のように、育苗箱本体１の底板３の裏面には、複数本の横リブ８,８・・・と、該横リブ８,８・・・に交叉して設けられた複数本の縦リブ９,９・・・とにより中央縦軸線Ｏを境に左右線対称であり、且つ中央横軸線Ｐを境に上下線対称に底面略矩形に形成された複数個のリブ外郭体１０Ａ,１０Ｂ,１０Ｃ,１０Ｄ・・・；１０′Ａ,１０′Ｂ,１０′Ｃ,１０′Ｄ・・・が形成され、このリブ外郭体１０Ａ,１０Ｂ,１０Ｃ,１０Ｄ・・・；１０′Ａ,１０′Ｂ,１０′Ｃ,１０′Ｄ・・・の内域には、傾斜方向が前記中央縦軸線Ｏに対して左右線対称に斜めに平行に配置されて交叉した多数の斜めリブ１１Ａ・・・；１１′Ａ・・・が設けられたことにより育苗箱本体１の水平度が保証されているので、育苗後における田植え機に対する育苗箱のセット位置を適正にセットすることができ、もって田植え機のクランク爪の回動軌跡に対してクランク爪による育苗の把持が確実になり、田植え時の作業効率の向上をはかることができる。
【００４１】
また、図１２、および図１３は本考案の合成樹脂育苗箱の実施形態２である。この実施形態２では、育苗箱本体１の底板３の表面に例えば枡形の凸条部６と多数の凹部７′を形成する。そして、凹部７′は育苗の際に乾燥し易い育苗箱本体１の周囲の側縁部２ａ,２ａ；２ｂ,２ｂに近い個所では保水性を増すために設置面積が広く育苗箱本体１の中央部付近は乾燥しにくいので、設置面積が狭く設けられるほかは、育苗箱本体１の底板３の裏面側に設けるリブ構造については、育苗箱本体１を前後、左右、上下の外力に対して中高に変形したり、そりや歪みを生ずるのを確実に防止し、育苗箱本体１の水平度が保証され、また、育苗箱本体１内に収容される床土や床土内に浸透される潅水の保水力を片よりなく均一化し、水分過多による根腐れがなく、根張りが八方広がりに根が育成され、水田への定植と、その後の育成が順調な健苗を育成することができるとともに縦リブ９と、横リブ８とよりなるリブ外郭体１０Ａ,１０Ｂ,１０Ｃ,１０Ｄ・・・；１０′Ａ,１０′Ｂ,１０′Ｃ,１０′Ｄ・・・の内域に多数の凹所部１２・・・が形成され、しかも、リブ外郭体１０Ａ,１０Ｂ,１０Ｃ,１０Ｄ・・・；１０′Ａ,１０′Ｂ,１０′Ｃ,１０′Ｄ・・・の内域に第１の斜めリブＲ１と、第２の斜めリブＲ２との２種類を組み合わせて使用することにより凹所部１２をさらに細分化した小凹所部１３が形成され、凹所部１２内に空気層を形成させて育苗箱の保温性が床土の収容量が少ないのにも拘わらずに良好になる等、前記実施形態１と同様の構成、作用・効果である。
【００４２】
なお、図１乃至図１１に示す実施形態１の合成樹脂育苗箱では、育苗箱本体１の排水孔５を有する凸条部６を底板３の表面に適宜図柄、図示では直線状に並設しているが、これに限ることなく、図には示さないがこの凸条部６の代わりに底板３の表面に並設した凸部に排水孔５を設けたものでもよい。
【産業上の利用可能性】
【００４３】
本考案は、育苗箱本体の裏面側に複数本の横リブと、該横リブに交叉する縦リブとにより底面略矩形に形成された複数個のリブ外郭体の内域に傾斜方向が中央縦軸線に対して左右線対称に斜めに平行に配置されて交叉した多数の斜めリブを設けることにより、リブ構造としての補強が充分になり、合成樹脂の物理的特性による縮化や上げ底形式における薄型の育苗箱本体が中高に変形したり、そりや歪みを生ずるのを確実に防止して水平度を保証し、育苗箱本体内に収容される床土や床土内に浸透される潅水の保水力が片よりなく均一化され、根が均一に健全に育成し、しかも、水分過多による根腐れがなく、健苗の育成をはかることができるとともに、育苗後における田植え機に対する育苗箱のセット位置を適正にセットでき、もって田植え時の作業効率の向上をはかれる用途・機能に適する。
【図面の簡単な説明】
【００４４】
【図１】図１は本考案の合成樹脂育苗箱の実施形態１を示す平面図である。
【図２】図２は同じく合成樹脂育苗箱の斜視図である。
【図３】図３は同じく合成樹脂育苗箱を裏面側から見た斜視図である。
【図４】図４は同じく合成樹脂育苗箱の裏面図である。
【図５】図５は同じく合成樹脂育苗箱の説明的な裏面図である。
【図６】図６は同じく合成樹脂育苗箱の正面図である。
【図７】図７は同じく合成樹脂育苗箱の側面図である。
【図８】図８は同じく図４のＡ−Ａ断面図である。
【図９】図９は同じく図４のＢ−Ｂ断面図である。
【図１０】図１０は本実施形態１の育苗箱と、深さが深い従来の合成樹脂育苗箱との経時の保水量とを観測したグラフである。
【図１１】図１１は同じく本実施形態の合成樹脂育苗箱と従来の合成樹脂育苗箱との外気温との経時の地温変化を温度計により測定したグラフである。
【図１２】図１２は本考案の合成樹脂育苗箱の実施形態２を示す部分切欠平面図である。
【図１３】図１３は同じく拡大断面図である。
【符号の説明】
【００４５】
１      育苗箱本体    
２ａ    外縁部
２ｂ    外縁部    
３      底板  
４ａ    足部    
４ｂ    足部
５      排水孔
６      凸条部
７      凹条部
８      横リブ
９      縦リブ
１０Ａ  リブ外郭体
１０Ｂ  リブ外郭体
１０Ｃ  リブ外郭体
１０Ｄ  リブ外郭体
１１Ａ  斜めリブ
１１Ｂ  斜めリブ
１１Ｃ  斜めリブ
１２    凹所部
１３    小凹所部
Ｒ１    第１の斜めリブ
Ｒ２    第２の斜めリブ
Ｗ１    幅
Ｗ２    幅
Ｗ３    幅
Ｘ      長手方向
【図１】
0003124437.tif 000003
【図２】
0003124437.tif 000004
【図３】
0003124437.tif 000005
【図４】
0003124437.tif 000006
【図５】
0003124437.tif 000007
【図６】
0003124437.tif 000008
【図７】
0003124437.tif 000009
【図８】
0003124437.tif 000010
【図９】
0003124437.tif 000011
【図１０】
0003124437.tif 000012
【図１１】
0003124437.tif 000013
【図１２】
0003124437.tif 000014
【図１３】
0003124437.tif 000015